(57)【特許請求の範囲】
【請求項１】
バッテリ収容部を有する筐体と、
上記筐体のバッテリ収容部に取リ外し可能に収容され、一端に複数の端子板を有する箱状のバッテリパックと、を備えている電子機器において、
上記バッテリ収容部は、一端に上記バッテリパックの端子板に接するバッテリコネクタを有するとともに、このバッテリコネクタと向かい合う他端に支持壁を有し、
上記バッテリパックは、上記端子板を先頭にした斜めの姿勢で上記筐体の外から上記バッテリ収容部に挿入されるとともに、上記端子板と上記バッテリコネクタとの接触部を支点に回動させることで上記バッテリ収容部に収容され、
このバッテリパックの上記端子板とは反対側の他端部は、上記バッテリパックを正しい向きで上記バッテリ収容部に挿入した時に、そのバッテリ収容部と向かい合う底面と他端面とで規定される角部に、上記支持壁の先端角部との干渉を避けるように円弧状に彎曲された彎曲部を有していることを特徴とする電子機器。
【請求項２】
請求項１の記載において、上記バッテリコネクタは、上記バッテリパックの端子板に接する複数の接続端子を有し、これら接続端子は、上記支持壁に向けて弾性的に突没可能に突出されて、上記バッテリパックを上記支持壁との間で挟み込んでいることを特徴とする電子機器。
【請求項３】
請求項１又は請求項２の記載において、上記バッテリパックは、長軸と短軸とを有する長方形箱状のバッテリケースを有し、上記端子板と上記バッテリパックの他端面とは、上記バッテリケースの長軸方向に互いに離間して配置されていることを特徴とする電子機器。
【請求項４】
請求項３の記載において、上記バッテリパックの端子板は、上記バッテリケースの短軸方向に沿って一列に並べて配置されているとともに、上記バッテリケースは、隣り合う端子板の間に介在される複数の仕切り壁を有し、これら仕切り壁の先端は、上記端子板よりも上記バッテリケースの外方に突出されていることを特徴とする電子機器。
【請求項５】
請求項４の記載において、上記バッテリコネクタは、上記バッテリパックを上記バッテリ収容部に収容した時に、上記バッテリケースの仕切り壁の間に入り込む複数の係合突起を有していることを特徴とする電子機器。
【請求項６】
請求項１の記載において、上記バッテリパックは二次電池を収容する箱状のバッテリケースを有し、このバッテリケースは、上記バッテリパックを正しい向きで上記バッテリ収容部に収容した時に、このバッテリ収容部の底と向かい合う底面と、この底面の反対側に位置する上面とを有し、これら底面および上面に夫々凹部を形成するとともに、これら凹部は上記バッテリケースを間に挟んで向かい合うことなく互いにずれており、また、上記バッテリ収容部は、その底に上記バッテリケースの底面の凹部に入り込む凸部を有していることを特徴とする電子機器。
【請求項７】
請求項６の記載において、上記バッテリケースは、長軸と短軸とを有する長方形箱状をなしており、上記底面の凹部と上記上面の凹部とは、上記バッテリケースの長軸方向に互いにずれた位置に形成されていることを特徴とする電子機器。
【請求項８】
請求項６又は請求項７の記載において、上記凹部の位置は、上記バッテリパックの種類や性能に応じて定められていることを特徴とする電子機器。
【請求項９】
請求項６ないし請求項８のいずれかの記載において、上記バッテリ収容部は、その底に金属製のシールド板を有し、このシールド板に上記凸部が形成されていることを特徴とする電子機器。
【請求項１０】
請求項９の記載において、上記シールド板は、絶縁シートによって覆い隠されており、この絶縁シートは、上記凸部に対応する位置にこの凸部を通す開口部を有することを特徴とする電子機器。
【発明の詳細な説明】
【０００１】
【発明の属する技術分野】
本発明は、ブック形のポータブルコンピュータのような電子機器に係り、特にそのバッテリ収容部に駆動用電源となるバッテリパックを収容するための構造に関する。
【０００２】
【従来の技術】
ブック形のポータブルコンピュータは、持ち運びが容易で、商用交流電源を得られないような場所でも、筐体に内蔵されたバッテリパックを電源とすることで自由に使用できるといった利点を有している。
【０００３】
この種のコンピュータに用いられるバッテリパックは、複数の二次電池が収容されたバッテリケースを有している。バッテリケースは、長方形の箱状をなしており、このバッテリケースの長手方向に沿う一端面に複数の端子板が一列に並べて配置されている。
【０００４】
コンピュータの筐体は、バッテリパックを取り外し可能に収容するバッテリ収容部を備えている。バッテリ収容部は、上向きに開放された凹所にて構成され、上記バッテリケースがきっちりと嵌まり込むような大きさを有している。このバッテリ収容部の一端には、バッテリコネクタが配置されている。バッテリコネクタは、バッテリパックの端子板が接する複数の接続端子を有し、これら接続端子は、バッテリ収容部の他端と向かい合っている。
【０００５】
ところで、従来のポータブルコンピュータにおいて、バッテリ収容部にバッテリパックを取り付けるには、まず、バッテリパックをその端子板を先頭にした斜め下向きの姿勢で筐体の上方からバッテリ収容部に挿入し、その端子板をバッテリコネクタの接続端子に突き当てる。そして、端子板と接触端子との接触部を支点としてバッテリパックを下向きに回動させ、このバッテリパックをバッテリ収容部に落とし込む。
【０００６】
このことにより、バッテリパックは、バッテリ収容部の底と平行な姿勢でバッテリ収容部内に入り込み、バッテリコネクタの接続端子とバッテリ収容部の他端との間で挟み込まれるようになっている。
【０００７】
【発明が解決しようとする課題】
ところが、従来のバッテリパックのバッテリケースは、その端子板が配置された一端部と、この端子板とは反対側の他端部とが互いに角張った同形状をなしているため、バッテリケースの表と裏とを取り違える虞があり得る。そのため、バッテリケースを手で掴んでバッテリ収容部に挿入する際に、誤ってバッテリケースを上下逆向きの姿勢でバッテリ収容部に挿入してしまうことがある。
【０００８】
すると、バッテリパックが誤った向きでバッテリ収容部に収容されるので、バッテリコネクタの接続端子とバッテリパックの端子板との極性が一致せず、通電不良や故障の原因となる。
【０００９】
また、従来のコンピュータでは、たとえバッテリパックが逆向きであったとしても、バッテリ収容部への組み込みが可能であるため、誤った装着に気づいた時点でバッテリパックをバッテリ収容部から取り出して、再度バッテリパックを正規の向きでバッテリ収容部に組み込まなくてはならない。よって、バッテリパックの組み込みに細心の注意を払う必要があり、この組み込み作業に手間を要するといった問題がある。
【００１０】
本発明は、このような事情にもとづいてなされたもので、バッテリパックをバッテリ収容部に収容する際に、このバッテリパックの姿勢が適正であるか否かを容易に知ることができ、バッテリパックの誤った装着を未然に防止できる電子機器の提供を目的とする。
【００１１】
【課題を解決するための手段】
上記目的を達成するため、本発明の一つの形態に係る電子機器は、バッテリ収容部を有する筐体と、筐体のバッテリ収容部に取リ外し可能に収容され、一端に複数の端子板を有する箱状のバッテリパックとを備えている。
バッテリ収容部は、一端にバッテリパックの端子板に接するバッテリコネクタを有するとともに、このバッテリコネクタと向かい合う他端に支持壁を有し、また、バッテリパックは、端子板を先頭にした斜めの姿勢で筐体の外からバッテリ収容部に挿入されるとともに、端子板とバッテリコネクタとの接触部を支点に回動させることでバッテリ収容部に収容され、このバッテリパックの端子板とは反対側の他端部は、バッテリパックを正しい向きでバッテリ収容部に挿入した時に、そのバッテリ収容部と向かい合う底面と他端面とで規定される角部に、支持壁の先端角部との干渉を避けるように円弧状に彎曲された彎曲部を有していることを特徴としている。
【００１２】
このような構成において、バッテリパックを正規の姿勢でバッテリ収容部に挿入すると、このバッテリパックの彎曲部が支持壁の先端角部と向かい合う。このため、バッテリパックを端子板とバッテリコネクタとの接触部を支点に回動させた時には、上記彎曲部の存在によってバッテリパックと支持壁の先端角部との干渉が回避される。
【００１３】
これに対し、バッテリパックを逆向きの姿勢でバッテリ収容部に挿入した場合、このバッテリパックの彎曲部とは反対側の角部は、面取りされることなく角張っているので、バッテリパックを端子板とバッテリコネクタとの接触部を支点に回動させると、バッテリパックの角部が支持壁の先端角部に引っ掛かる。そのため、バッテリパックの回動が制限され、バッテリパックをバッテリ収容部に収めることができなくなる。
【００１４】
よって、バッテリパックが逆向きであることを容易に認識することができ、バッテリ収容部へのバッテリパックの誤った装着を未然に防止することができる。
【００１９】
【発明の実施の形態】
以下本発明の第１の実施形態を、ポータブルコンピュータに適用した図１ないし図２４にもとづいて説明する。
【００２０】
図１は、Ａ４サイズのブック形のポータブルコンピュータ１を示している。このコンピュータ１は、べースユニット２と、このべースユニット２に支持されたディスプレイユニット３とを備えている。
【００２１】
ベースユニット２は、四角形箱状をなす筐体４を備えている。この筐体４は、互いに対向し合う底面５ａと上面５ｂ、これら底面５ａ、上面５ｂに連なる前面５ｃと後面５ｄおよび左右の側面５ｅ，５ｆを有する偏平な四角形箱状をなしている。
【００２２】
筐体４は、底面５ａを有するロアハウジング７と、上面５ｂを有するアッパハウジング８とに分割されている。これらロアハウジング７およびアッパハウジング８は、ＡＢＳ樹脂のような合成樹脂材料にて構成されている。
【００２３】
図４や図１０に示すように、ロアハウジング７の内部には、回路基板１０が収容されている。回路基板１０は、ロアハウジング７の底面５ａ上の複数のボス部１１にねじ１２を介して固定されており、この底面５ａと平行に配置されている。回路基板１０は、底面５ａと略同じ大きさを有する四角形状をなしており、その前後左右の周縁部がロアハウジング７の前面５ｃ、後面５ｄおよび左右の側面５ｅ，５ｆに隣接されている。そして、回路基板１０の上面および下面には、ＬＳＩパッケージのような各種の回路部品１３が実装されている。
【００２４】
図４に示すように、ロアハウジング７の内部には、ハードディスク駆動装置１５とＣＤ−ＲＯＭ駆動装置１６とが収容されている。ハードディスク駆動装置１５は、ロアハウジング７の前半部の左端部に位置されており、上記回路基板１０の上面に載置されている。このハードディスク駆動装置１５は、図示しないハードディスクコネクタを介して回路基板１０に接続されている。
【００２５】
ＣＤ−ＲＯＭ駆動装置１６は、ロアハウジング７の後半部の右端部に位置され、このロアハウジング７の底面５ａ上にねじ止めされている。このため、ロアハウジング７の底面５ａに固定された回路基板１０は、図４ないし図６に示すように、ＣＤ−ＲＯＭ駆動装置１６を逃げる切り欠き１８を有しており、この切り欠き１８は、回路基板１０の右側の周縁部に開口されている。
【００２６】
図６や図７に示すように、ＣＤ−ＲＯＭ駆動装置１６は、偏平な箱形状を有する金属製のケーシング２０を備えている。ケーシング２０は、複数の舌片２１を有し、これら舌片２１がロアハウジング７の底面５ａにねじ止めされている。ケーシング２０は、ロアハウジング７の内部に収まるような厚み寸法を有している。このケーシング２０の上面２０ａは、図４に示すように、ロアハウジング７の上方への開口端に位置されている。
【００２７】
ケーシング２０の側面には、ディスク挿入口２２が開口されている。このディスク挿入口２２には、ガイド枠２３が取り付けられている。また、ディスク挿入口２２は、ロアハウジング７の右側の側面５ｆと向かい合っており、この側面５ｆにディスク挿入口２２を露出させる開口部２４が形成されている。
【００２８】
ケーシング２０の内部には、図７に示すように、ディスク収納部２７とディスク駆動部２８とが上下に重ねて収容されている。ディスク収納部２７は、ケーシング２０に引き出し可能に支持されたディスクホルダ３０を備えている。ディスクホルダ３０は、円盤状の光ディスク３１が載置される底壁３２と、この底壁３２に連なる端壁３３とを備えている。底壁３２は、光ディスク３１の情報記録面である下面と向かい合っており、この底壁３２にアクセス用の窓部３４が開口されている。端壁３３は、ディスク挿入口２２を開閉可能な大きさを有し、上記側面５ｆの開口部２４に露出されている。
【００２９】
このため、ディスクホルダ３０は、開口部２４を通じてディスク収納部２７に出し入れされるようになっており、このディスク収納部２７の大きさは、光ディスク３１の直径に応じて定められている。
【００３０】
ディスク駆動部２８は、光ディスク３１を回転駆動するスピンドルモータおよびこのモータの制御回路部を有している。このディスク駆動部２８は、ディスク収納部２７よりも小さな形状を有している。このため、図６に示すように、ディスク駆動部２８の側面２８ａと、ディスク収納部２７の下面２７ａとで規定される部分には、段差３５が形成されている。
【００３１】
そして、上記ケーシング２０は、上記段差３５に対応する位置に、この段差３５に入り込むように凹む凹部３６を備えている。この凹部３６は、ディスク収納部２７の下面２７ａに沿う上面３６ａと、ディスク駆動部２８の側面２８ａに沿う側面３６ｂとを有し、これら上面３６ａと側面３６ｂは、互いに協働してケーシング２０の側方および下方に向って連続して開放するような空間３７を構成している。
【００３２】
図６に示すように、ケーシング２０の凹部３６は、このケーシング２０の後部に位置されている。そして、この凹部３６内に、上記回路基板１０の切り欠き１８に連なる後部が入り込んでおり、この回路基板１０の一部および回路部品１３が空間３７内に収容されている。そのため、回路基板１０の切り欠き１８は、ＣＤ−ＲＯＭ駆動装置１６の平面形状よりも小さく形成されており、その分、回路基板１０の実装面積が広げられている。
【００３３】
図２や図４に示すように、ロアハウジング７は、その前端部にバッテリ収容部４０を備えている。バッテリ収容部４０は、ハードディスク駆動装置１５の左側方であり、かつＣＤ−ＲＯＭ駆動装置１６の前方に位置されており、上記ロアハウジング７の上方に向けて開放された凹所にて構成されている。そして、バッテリ収容部４０の底部には、金属製のシールド板４１が配置されており、このシールド板４１は、回路基板１０の前半部上面を覆い隠している。
【００３４】
図８に示すように、バッテリ収容部４０とハードディスク駆動装置１５との間には、合成樹脂製のバッテリホルダ４２が配置されている。バッテリホルダ４２のバッテリ収容部４０に臨む面には、バッテリコネクタ４４が配置されている。このバッテリコネクタ４４は、回路基板１０の上面に実装されている。
【００３５】
バッテリ収容部４０には、バッテリパック４６が取り出し可能に収容されている。バッテリパック４６は、商用交流電源を得られない場所でコンピュータ１を使用する時に、その駆動用電源となるもので、ロアハウジング７の上方からバッテリ収容部４０に出し入れされるようになっている。バッテリパック４６をバッテリ収容部４０に収容すると、このバッテリパック４６の正負の端子板がバッテリコネクタ４４に接するようになっている。このため、本実施形態のコンピュータ１では、ロアハウジング７の前半部にハードディスク駆動装置１５とバッテリパック４６とが左右に並べて配置されている。
【００３６】
図８に示すように、ハードディスク駆動装置１５の上面は、シールド板４８によって覆われている。シールド板４８は、ロアハウジング７の底面５ａにねじ止めされており、このシールド板４８は、複数の基板取り付け座４９を一体に備えている。
【００３７】
基板取り付け座４９には、音響基板５０がねじ止めされている。音響基板５０の左端部には、端子カバー５１が取り付けられている。端子カバー５１は、音響基板５０上に配置された複数のジャック（図示せず）を覆っており、この端子カバー５１は、ジャックに連なる複数のプラグ孔５３（図９に示す）を備えている。プラグ孔５３は、図示しないヘッドフォン等のプラグが抜き差しされるもので、ロアハウジング７の左側方に露出されている。
【００３８】
なお、この第１の実施形態におけるコンピュータ１は、ＣＤ−ＲＯＭ駆動装置１６を装着した機種と、このＣＤ−ＲＯＭ駆動装置１６の代わりにフロッピーディスク駆動装置を装着した機種の二通りのバリエーションが存在し、フロッピーディスク駆動装置を装着した機種では、上記音響基板５０は基板取り付け座４９から取り外されている。
【００３９】
図１０に示すように、回路基板１０の上面には、第１のカード収容部５６と、第２のカード収容部５７とが配置されている。第１および第２のカード収容部５６，５７は、夫々PCMCIA(Personal Computer Card International Association)カードやインターフェースカードのような拡張カード５８を取り出し可能に収容するためのものである。これらカード収容部５６，５７は、上記ハードディスク駆動装置１５の後方であり、かつＣＤ−ＲＯＭ駆動装置１６の左側に位置され、ロアハウジング７の厚み方向に積み重ねられている。
【００４０】
第１および第２のカード収容部５６，５７は、ロアハウジング７の左側の側面５ｅに隣接されている。この側面５ｅには、拡張カード５８を抜き差し可能に挿入するためのカード挿入口５９が開口されている。
【００４１】
図４に示すように、第１および第２のカード収容部５６，５７は、夫々拡張カード５８が取り外し可能に接続されるカードコネクタ６０と、上記カード挿入口５９から挿入された拡張カード５８をカードコネクタ６０に導くガイドレール６１ａ，６１ｂとを備えている。
【００４２】
また、第１および第２のカード収容部５６，５７は、夫々拡張カード５８を排出するためのイジェクタ６２を備えている。イジェクタ６２は、オペレータが指先で押圧する操作レバー６３を有している。操作レバー６３は、ガイドレール６１ａ，６１ｂに突没可能に支持されているとともに、カード挿入口５９に露出されている。
【００４３】
図４、図５および図９に示すように、ロアハウジング７には、カード挿入口５９を開閉するカードカバー６５が取り付けられている。カードカバー６５は、第１および第２のカード収容部５６，５７に連なる第１の開口部６６を有している。このカードカバー６５には、第１の開口部６６を開閉する第１の小カバー６７が取り付けられている。第１の小カバー６７は、下側の第２のカード収容部５７に連なる第２の開口部６８を有している。この第１の小カバー６７には、第２の開口部６８を開閉する第２の小カバー６９が取り付けられている。
【００４４】
このため、カードカバー６５を閉じた状態でも、第１の小カバー６７を開くことにより第１および第２のカード収容部５６，５７を露出させることができ、第２の小カバー６９のみを開けば、第２のカード収容部５７のみを露出させることができる。
【００４５】
したがって、第１のカード収容部５６あるいは第２のカード収容部５７に拡張カード５８を装着した状態において、第１又は第２の小カバー６７，６９のみを開くようにすれば、第１又は第２の開口部６６，６８を通じて拡張カード５８にケーブル（図示せず）を接続することができる。
【００４６】
この際、第１および第２のカード収容部５６，５７に共通の大きなカード挿入口５９は、カードカバー６５によって覆われている。そのため、第１および第２のカード収容部５６，５７に連なる開口面積を必要最小限に止めることができ、これら第１および第２のカード収容部５６，５７への埃等の侵入を防止することができる。
【００４７】
図４や図１０に示すように、回路基板１０の後端部には、金属製のコネクタパネル７２が取り付けられている。コネクタパネル７２は、回路基板１０の全幅に亘る長さを有し、この回路基板１０の後端部において上向きに延びている。コネクタパネル７２は、その上端部と下端部とに夫々フランジ部７２ａ，７２ｂを一体に備えている。上側のフランジ部７２ａは、ロアハウジング７の後面５ｄの上端部に重ねられている。下側のフランジ部７２ｂは、ロアハウジング７の底面５ａに重ねられている。
【００４８】
コネクタパネル７２には、プリンタや外部フロッピーディスク駆動装置を接続するための第１のパラレルポート７３と、外部拡張ステーションを接続するための拡張ポート７４と、外部ＣＲＴディスプレイを接続するためのＲＧＢコネクタ７５と、ＲＳ２３２Ｃ規格のインターフェースコネクタを有する周辺機器を接続するための接続ポート７６と、外部キーボードやマウスを接続するためのキーボードコネクタ７７とが支持されている。
【００４９】
これら各種のポート７３，７４，７６やコネクタ７５，７７は、コネクタパネル７２の横方向に一列に並んで配置されており、図３に見られるように、夫々ロアハウジング７の後面５ｄに露出されている。そして、各種のポート７３，７４，７６やコネクタ７５，７７は、回路基板１０に電気的に接続されており、これらポート７３，７４，７６やコネクタ７５，７７と回路基板１０との接続部は、コネクタパネル７２によって後方から覆われている。
【００５０】
なお、ロアハウジング７の後面５ｄには、拡張ポート７４を開閉可能に覆うポートカバー７８が取り付けられている。
【００５１】
図１１に示すように、回路基板１０の後部には、外部フロッピーディスク駆動装置を接続するための第２のパラレルポート８０と電源スイッチ８１とが実装されている。これら第２のパラレルポート８０と電源スイッチ８１とは、ロアハウジング７を左側から見た場合に、上下に並んで配置されている。
【００５２】
第２のパラレルポート８０は、回路基板１０の下面において、この回路基板１０の左側の側縁部に隣接されている。第２のパラレルポート８０は、ロアハウジング７の左側の側面５ｅに開けた導出口８２と向かい合っており、このロアハウジング７の側面５ｅには、導出口８２を開閉するサイドカバー８３が取り付けられている。
【００５３】
電源スイッチ８１は、スイッチ本体８４と、このスイッチ本体８４に支持されたプッシュ式のアーマチュア８５とを有している。この電源スイッチ８１は、スイッチ本体８４から導出されたリード（図示せず）を有し、このリードを回路基板１０に差し通してその下面に半田付けすることで回路基板１０上に支持されている。
【００５４】
そのため、電源スイッチ８１は、回路基板１０の上面において、上記第２のパラレルポート８０を避けた位置に配置されており、この第２のパラレルポート８０よりも右側にずれている。そして、電源スイッチ８１のアーマチュア８５は、ロアハウジング７の左側の側面５ｅと向かい合っており、この側面５ｅにアーマチュア８５との対向し合う開口部８６が形成されている。この開口部８６は、上記導出口８２に真上に位置されている。
【００５５】
一方、図１に示すように、筐体４のアッパハウジング８は、ハウジング本体９０と、このハウジング本体９０の前端に連なるパームレスト９１とに分割されている。ハウジング本体９０は、キーボード装着部９２と凸部９３とを備えている。
【００５６】
キーボード装着部９２は、左右の側壁９４ａ，９４ｂおよび後壁９４ｃと、これら各壁９４ａ〜９４ｃに連なる底壁９４ｄ（図６や図１０に示す）とを有する凹所にて構成され、ハウジング本体９０の上面の略全面に亘るような大きさを有している。このキーボード装着部９２の底壁９４ｄは、ＣＤ−ＲＯＭ駆動装置１６や第１および第２のカード収容部５６，５７の真上に位置されており、この底壁９４ｄの前端部には、図８に示すように下向きに延びる区画壁９４ｅが形成されている。
【００５７】
区画壁９４ｅの下端部は、上記回路基板１０と共にロアハウジング７のボス部１１にねじ止めされている。区画壁９４ｅは、バッテリ収容部４０の後壁を兼ねており、このバッテリ収容部４０とロアハウジング７の内部との間を仕切っている。
【００５８】
凸部９３は、キーボード装着部９２の直後に位置されている。この凸部９３は、ハウジング本体９０の上面から上向きに突出されるとともに、このハウジング本体９０の横方向に沿って延びており、このハウジング本体９０の全幅に亘る長さを有している。
【００５９】
図１２に示すように、凸部９３は、ハウジング本体９０の上面から上向きに延びる前面９５と、この前面９５の上端から後方に延びる上面９６と、この上面９６の後端から下向きに延びる後面９７とを有し、全体としてハウジング本体９０の下方に向けて開放された収容空間９８を有する中空状をなしている。この凸部９３の後面９７は、筐体４の後面５ｄに面一に連続され、この筐体４の後方に露出されている。
【００６０】
凸部９３は、一対のディスプレイ支持部１００ａ，１００ｂを有している。ディスプレイ支持部１００ａ，１００ｂは、凸部９３の横方向に互いに離間して配置されており、夫々凸部９３の前方、上方および後方に向けて連続して開放された凹所にて構成されている。
【００６１】
これらディスプレイ支持部１００ａ，１００ｂは、左右共通の構成であるため、左側のディスプレイ支持部１００ａを代表して説明する。
図１３や図１４に示すように、ディスプレイ支持部１００ａは、ハウジング本体９０の上面に連なる底面１０１と、この底面１０１に連なる左右の側面１０２，１０３とを備えている。底面１０１は、底部開口１０１ａを有し、この底部開口１０１ａはハウジング本体９０の内部に向けて開口されている。また、側面１０２，１０３は、夫々側部開口１０２ａ，１０３ａを有している。側部開口１０２ａ，１０３ａは、底部開口１０１ａに連なるとともに、上記収容空間９８に開口されている。
【００６２】
ディスプレイ支持部１００ａには、ハウジング本体９０の内側からカバー１０６がねじ止めされている。カバー１０６は、図１０や図１３に示すように、ディスプレイ支持部１００ａの底部開口１０１ａを覆う底壁部１０８と、側部開口１０２ａ，１０３ａに嵌まり込む左右一対の側壁部１０９ａ，１０９ｂとを有している。側壁部１０９ａ，１０９ｂは、側部開口１０２ａ，１０３ａと協働してディスプレイ支持部１００ａの側面１０２，１０３に開口部１１０ａ，１１０ｂを構成している。
【００６３】
また、凸部９３は、ディスプレイ支持部１００ａ，１００ｂの間に位置される電源収容部１１３と、上記ディスプレイ支持部１００ａ，１００ｂの左右両側に位置されるヒンジ収容部１１４ａ，１１４ｂとに区分けされている。これら電源収容部１１３およびヒンジ収容部１１４ａ，１１４ｂは、図１３に示すように、回路基板１０の後端部の上方に位置されるとともに、ロアハウジング７の内部に連なっている。
【００６４】
図１４に示すように、電源収容部１１３の前面９５は、ヒンジ収容部１１４ａ，１１４ｂの前面９５よりも前方のキーボード装着部９２に向けて張り出している。そのため、電源収容部１１３の前面９５およびヒンジ収容部１１４ａ，１１４ｂの前面９５とは、前後にずれて位置されており、これら前面９５の間には段差が生じている。そして、上記前面９５が夫々運なるハウジング本体９０の上面は、上記段差の部分に入り込む平坦部１１５ａ，１１５ｂを有している。
【００６５】
ハウジング本体９０のキーボード装着部９２には、キーボード１１７が配置されている。キーボード１１７は、キーボードパネル１１８を備えている。キーボードパネル１１８は、キーボード装着部９２に嵌合可能な長方形板状をなしており、このキーボード装着部９２の底壁９４ｄ上に載置されている。キーボードパネル１１８の上面には、多数のキー１１９と、ポインティングデバイスの一種であるジョイスティック１２０とが配置されている。
【００６６】
キーボードパネル１１８は、キーボード装着部９２の前端に位置される前縁部１１８ａ（図８に示す）と、キーボード装着部９２の後壁９４ｃに沿う後縁部１１８ｂ（図１２に示す）とを有している。キーボードパネル１１８の後縁部１１８ｂには、複数の係合突起１２１（図１２に一つのみを図示）が形成されており、これら係合突起１２１は、後壁９４ｃに開けた係合孔１２２に差し込まれている。
【００６７】
また、図２や図８に示すように、キーボード装着部９２の前端部には、キーボード押え１２５が取り付けられている。キーボード押え１２５は、キーボードパネル１１８の全幅に亘って延びる細長い棒状をなしている。このキーボード押え１２５は、キーボード装着部９２の底壁９４ｄの前端部に取り外し可能に係止されており、この底壁９４ｄとの間でキーボードパネル１１８の前縁部１１８ａを挟み込んでいる。
【００６８】
このため、キーボード１１７は、そのキーボードパネル１１８の前縁部１１８ａと後縁部１１８ｂとでキーボード装着部９２に支持されている。そして、このキーボードパネル１１８の前縁部１１８ａは、キーボード押え１２５によって覆い隠されるようになっている。
【００６９】
上記アッパハウジング８のパームレスト９１は、キーボード１１７の手元側に位置されている。このパームレスト９１は、キーボード装着部９２の前端に連なっており、上記ハードディスク駆動装置１５やバッテリ収容部４０を上方から覆っている。
【００７０】
図１や図８に示すように、パームレスト９１は、オペレータがキーボード１１７を操作する際の手置き台１２６と、この手置き台１２６の前縁部および左右の側縁部から下向きに延びる周壁１２７とを一体に有し、この周壁１２７の下端部がロアハウジング７の前半部上に前後に移動可能に載置されている。手置き台１２６の略中央部には、コマンドの実行および取り消しを行なうための一対の操作ボタン１２８ａ，１２８ｂが前後に並んで配置されている。また、左側の周壁１２７には、上記端子カバー５１を露出させる切り欠き１２９が形成されている。
【００７１】
このようなパームレスト９１は、上記キーボード装着部９２に連結されている。図２に示すように、パームレスト９１の左右両端部には、後方に向って延びる支持腕１３０ａ，１３０ｂが一体に形成されている。支持腕１３０ａ，１３０ｂは、キーボード装着部９２の側壁９４ａ，９４ｂとキーボード１１７との間に入り込んでいる。
【００７２】
キーボード装着部９２の側壁９４ａ，９４ｂは、図１５ないし図１７に右側の側壁９４ｂを代表して示すように、支持腕１３０ａ，１３０ｂが摺動可能に嵌まり込む嵌合部１３１を有している。嵌合部１３１の支持腕１３０ａ，１３０ｂとの対向部には、夫々凹部１３２が形成されている。凹部１３２は、前後方向に延びる上縁部１３２ａと、この上縁部１３２ａの前端から下向きに延びる前縁部１３２ｂとを有している。前縁部１３２ｂの下端は、キーボード装着部９２の底壁９４ｄに連なっている。そして、凹部１３２の前後方向に沿う中間部には、上下に延びる凸条１３３が形成されている。
【００７３】
また、支持腕１３０ａ，１３０ｂは、凹部１３２に嵌合する軸部１３５を有している。軸部１３５は、凹部１３２の上縁部１３２ａに前後方向に摺動可能に接している。このため、図１７の（Ｂ）に示すように、パームレスト９１を手元側に引き出すことにより、軸部１３５を凹部１３２の上縁部１３２ａと前縁部１２ｂとで規定される角部に位置させ、この状態でパームレスト９１の前端部を引き上げると、図１７の（Ｃ）に示すように、パームレスト９１が軸部１３５を支点に上向きに回動し、ハードディスク駆動装置１５やバッテリ収容部４０が上方に露出されるようになっている。そして、このパームレスト９１の回動は、図２に示すように、パームレスト９１の周壁１２７の後端部がキーボード装着部９２の側壁９４ａ，９４ｂの上端に接触することで停止される。
【００７４】
したがって、パームレスト９１は、ハードディスク駆動装置１５やバッテリ収容部４０を上方から覆い隠す閉じ位置と、これらハードディスク駆動装置１５やバッテリ収容部４０を上方に露出させる開き位置とに亘って回動可能にキーボード装着部９２に支持されている。このことから、バッテリパック４６は、パームレスト９１を開き位置に回動させた状態で、筐体４の上方から出し入れされるようになっている。
【００７５】
パームレスト９１を開き位置から閉じ位置に回動させる際には、まず、パームレスト９１を下向きに回動させ、このパームレスト９１の周壁１２７をロアハウジング７の上端部に載置する。そして、この状態でパームレスト９１をキーボード装着部９２に向けて後方にスライドさせる。すると、支持腕１３０ａ，１３０ｂが嵌合部１３１に嵌まり込む。この際、軸部１３５は、嵌合部１３１ａ，１３１ｂの上縁部１３２ａに摺接しつつ凸条１３３を乗り越すので、この時に節動感が付与され、パームレスト９１が閉じ位置にスライドされたことを認識することができる。
【００７６】
パームレスト９１は、筐体４の全幅に亘る細長いものであるため、このパームレスト９１を後方にスライドさせる時に、その左右の支持腕１３０ａ，１３０ｂが前後にずれることなくスライドされるとは限らず、一方の支持腕１３０ａ又は１３０ｂがオペレータの手元側に位置するような斜めの姿勢に傾く場合があり得る。
【００７７】
しかるに、パームレスト９１が傾いた状態でスライドされても、必ず他方の支持腕１３０ａ又は１３０ｂの軸部１３５が凸条１３３を乗り越すので、この他方の支持腕１３０ａ又は１３０ｂと嵌合部１３１との位置合わせがなされる。そして、この後、手元側に位置された一方の支持腕１３０ａ又は１３０ｂ側の端部を後方に押圧すれば、一方の支持腕１３０ａ又は１３０ｂの軸部１３５が凸条１３３を乗り越し、この一方の支持腕１３０ａ又は１３０ｂと嵌合部１３１との位置合わせがなされる。そのため、パームレスト９１の閉じ位置へのスライド操作性を良好に維持することができる。
【００７８】
なお、図１に示すように、パームレスト９１の前端部には、左右一対のラッチ１３８ａ，１３８ｂが配置されている。ラッチ１３８ａ，１３８ｂは、パームレスト９１を閉じ位置に保持するためのもので、ロアハウジング７の前端上部に係脱可能に引っ掛かるようになっている。
【００７９】
図２に示すように、パームレスト９１の裏面には、金属製のインナーパネル１４０がねじ止めされている。インナーパネル１４０は、バッテリ収容部４０との対向部に位置されている。このインナーパネル１４０と手置き台１２６の裏面との間には、操作ボタン１２８ａ，１２８ｂによって押圧されるスイッチ１４１ａ，１４１ｂとスピーカ１４２とが収容されている。スピーカ１４２は、手置き台１２６の右端部に位置されており、この手置き台１２６には、音を通すための複数の通孔１４３が開口されている。
【００８０】
ところで、上記筐体４の内部には、商用交流電源を直流電源に変換して出力するＡＣ電源ユニット１５０が収容されている。ＡＣ電源ユニット１５０は、図１２に示すように、電源回路基板１５１と、この電源回路基板１５１に実装された各種の回路部品１５２と、これら電源回路基板１５１や回路部品１５２を取り囲むケース１５３とを備えており、上記回路部品１５２のなかには、変換動作中に発熱する部品が含まれている。このＡＣ電源ユニット１５０は、図４に見られるように、筐体４の横方向に延びる角柱状をなしている。そして、ＡＣ電源ユニット１５０は、ハウジング本体９０の電源収容部１１３内に収容され、中継ケーブル１５４を介して回路基板１０に電気的に接続されている。
【００８１】
ＡＣ電源ユニット１５０は、コネクタパネル７２の上側のフランジ部７２ａに沿って配置されており、回路基板１０の後端部の上方に位置されている。そして、このＡＣ電源ユニット１５０は、その長手方向の一端部が合成樹脂製のホルダ１５５を介して回路基板１０の上に支持されているとともに、他端がコネクタパネル７２に支持されている。
【００８２】
すなわち、図２０に示すように、ＡＣ電源ユニット１５０の電源回路基板１５１の一端部は、ケース１５３の切り欠き１５３ａを通じて外方に導出されており、この電源回路基板１５１の一端部がホルダ１５５に支持されている。このホルダ１５５は、図１３や図２２に示すように、回路基板１０の上面に載置される取り付け座部１５６を有している。取り付け座部１５６は、その左右方向に離間した三箇所が回路基板１０と共にロアハウジング７のボス部１１にねじ１２を介して止められている。
【００８３】
このホルダ１５５は、電源回路基板１５１の一端部と向かい合う支持壁１５８を有している。支持壁１５８は、コネクタパネル７２の直前において起立されており、その下端部が取り付け座部１５６に連なっている。そして、支持壁１５８の上端部には、一対の係止部１５９ａ，１５９ｂが形成されており、これら係止部１５９ａ，１５９ｂに電源回路基板１５１の一端部が取り外し可能に係止されている。
【００８４】
図２１に示すように、電源回路基板１５１の他端部は、ケース１５３を貫通して外方に導出されている。この電源回路基板１５１の他端部は、コネクタパネル７２のフランジ部７２ａ上に位置されており、このフランジ部７２ａに連なる支持片１６０の上面にねじ１６１を介して固定されている。このため、ＡＣ電源ユニット１５０は、コネクタパネル７２の上端部に位置されており、その大部分がロアハウジング７の上面開口部分から上方に突出されている。
【００８５】
そして、ロアハウジング７にアッパハウジング８を被せた状態では、図１２に示すように、ＡＣ電源ユニット１５０が凸部９３の電源収容部１１３に入り込んでおり、このＡＣ電源ユニット１５０が電源収容部１１３の内側のスペースの大部分を占めている。
【００８６】
凸部９３の後面９７には、多数の通気孔１６２が開口されている。通気孔１６２は、電源収容部１１３に対応しており、これら通気孔１６２の存在によりＡＣ電源ユニット１５０の放熱性が高められている。
【００８７】
図１２に示すように、ＡＣ電源ユニット１５０は、電源コネクタ１６４を有するケーブル１６５を備えている。このケーブル１６５は、電源回路基板１５１に接続されている。電源コネクタ１６４は、ＡＣ電源ユニット１５０の下方において、上記コネクタパネル７２の差し込み口１６６に差し込まれており、上記ロアハウジング７の後面５ｄに露出されている。
【００８８】
また、この電源コネクタ１６４は、上記ホルダ１５５の支持壁１５８に隣接した位置において、上記回路基板１０の上面に載置されている。この支持壁１５８の側面には、電源コネクタ１６４の上面に接するコネクタ保持部１６７が一体に形成されている。コネクタ保持部１６７は、回路基板１０と平行をなしており、この回路基板１０と協働して電源コネクタ１６４を挟み込んでいる。
【００８９】
そのため、電源コネクタ１６４は、ホルダ１５５を利用してロアハウジング７に保持されており、この電源コネクタ１６４には、商用交流電源に連なる電源コード１６８のプラグ１６９が抜き差し可能に差し込まれるようになっている。
【００９０】
図１０や図１４に示すように、ハウジング本体９０の上面の左側の平坦部１１５ａには、アイコン１７３が配置されている。アイコン１７３は、ディスプレイ支持部１００ａの直前に位置されている。アイコン１７３は、透光性を有する合成樹脂製のアイコン基板１７４を有している。アイコン基板１７４は、左右方向に延びる長方形状をなしており、このアイコン基板１７４は、平坦部１１５ａと面一をなしている。
【００９１】
アイコン基板１７４には、コンピュータ１の動作状況や機能の内容を図柄で表示する複数の表示マーク１７５が描かれている。これら表示マーク１７５は、左右方向に間隔を存して配置されている。そして、図１０に示すように、平坦部１１５ａは、表示マーク１７５との対向部に筐体４の内部に開口する開口部１７６を有し、この開口部１７６は、回路基板１０の上面と向かい合っている。
【００９２】
図４、図１９および図２２に示すように、回路基板１０の後部上面には、アイコン１７３の光源となる複数の発光ダイオード１７８が一列に並んで配置されている。発光ダイオード１７８は、アイコン１７３の表示マーク１７５と向かい合っている。これら発光ダイオード１７８と表示マーク１７５との間には、発光ダイオード１７８の光を表示マーク１７５に導くレンズ集合体１８０が配置されている。レンズ集合体１８０は、円柱状をなす複数のレンズ１８１を備えている。これらレンズ１８１は、上下方向に沿って縦置きに配置されており、その上部が連結壁１８２を介して一体に連結されている。
【００９３】
図１９や図２２に示すように、レンズ集合体１８０は、ホルダ１５５の支持壁１５８の近傍に位置されている。この支持壁１５８には、レンズ集合体１８０を支持するレンズ支持部１８３が一体に形成されている。レンズ支持部１８３は、中空円筒状をなす複数のガイド部１８４と、これらガイド部１８４の上端部に跨がる平坦な壁部１８５とを備えている。ガイド部１８４は、上下方向に沿って縦置きに配置されており、その下端開口部が回路基板１０上の発光ダイオード１７８と向かい合うとともに、上端開口部が上記平坦部１１５ａの開口部１７６と向かい合っている。
【００９４】
レンズ集合体１８０の各レンズ１８１は、ホルダ１５５の上方からガイド部１８４に差し込まれており、これらレンズ１８１の上部の連結壁１８２が壁部１８５の上面に重ね合わされている。このため、レンズ１８１は、その下端面が発光ダイオード１７８と向かい合うとともに、上端面が開口部１７６に入り込んで、アイコン基板１７４の表示マーク１７５と向かい合っている。
【００９５】
したがって、発光ダイオード１７８が発光されると、この光は、図１０に矢印で示すように、レンズ１８１を軸方向に透過して表示マーク１７５に導かれるようになっている。このことにより、発光中の発光ダイオード１７８に対応した表示マーク１７８が点灯するようになっている。
【００９６】
図１１や図１９に示すように、回路基板１０の後部上面には、上記電源スイッチ８１をＯＮ・ＯＦＦ操作する合成樹脂製のスイッチ操作子１８８が配置されている。スイッチ操作子１８８は、ロアハウジング７の左側の側面５ｅと電源スイッチ８１との間に介在されている。
【００９７】
図１９および図２２に最も良く示されるように、スイッチ操作子１８８は、Ｕ字状に屈曲された屈曲部１９０と、この屈曲部１９０の両端に連なる第１および第２のレバー部１９１ａ，１９１ｂとを有している。これらレバー部１９１ａ，１９１ｂは、互いに向かい合っており、上記電源スイッチ８１の左側方を横切っている。
【００９８】
第１のレバー部１９１ａは、ロアハウジング７の側面５ｅに沿って配置されている。このレバー部１９１ａは、屈曲部１９０とは反対側の端部に押圧部１９２を備えている。この押圧部１９２は、側面５ｅに開けた開口部８６を通じて筐体４の外方に露出されている。また、この押圧部１９２は、棒状の押圧突起１９３を備えている。押圧突起１９３は、第２のレバー部１９１ｂの切り欠き１９４を貫通して電源スイッチ８１に向けて延びており、その先端がアーマチュア８５に接している。
【００９９】
第２のレバー部１９１ｂは、上記屈曲部１９０とは反対側の端部に、係止部１９６を一体に備えている。係止部１９６は、上記取り付け座部１５６の左端部に向けて延びており、この係止部１９６の下縁部には、図２２に示すように、上向きに切り込まれた溝部１９７が形成されている。そして、本実施形態の場合、上記ホルダ１５５の取り付け座部１５６の左端部には、下向きに切り込まれた係合溝１９８が形成されており、この係合溝１９８に溝部１９７が差し込まれている。そのため、スイッチ操作子１８８は、ホルダ１５５に係止されており、上記係合溝１９８がスイッチ支持部を構成している。
【０１００】
また、図１９に示すように、スイッチ操作子１８８の第２のレバー部１９１ｂと係止部１９６とで規定される角部は、ロアハウジング７の側面５ｅから延びるリブ状の壁部１９９に当接されている。このため、スイッチ操作子１８８は、第２のレバー部１９１ｂに連なる係止部１９６がロアハウジング７の側面５ｅとホルダ１５５とによって保持されており、この係止部１９６が第２のレバー部１９１ｂの支点となっている。
【０１０１】
よって、押圧部１９２を指先で押圧すると、第１のレバー部１９１ａが屈曲部１９０を支点に弾性変形するとともに、第２のレバー部１９１ｂが係止部１９６を支点に弾性変形する。この変形により、押圧突起１９３が押し込まれて電源スイッチ８１のアーマチュア８５を押圧し、この電源スイッチ８１がＯＮ・ＯＦＦされるようになっている。
【０１０２】
一方、上記ディスプレイユニット３は、Ａ４サイズの偏平な箱状をなすハウジング２０５と、このハウジング２０５内に収容されたカラー液晶ディスプレイ２０６とを備えている。ハウジング２０５は、フロントパネル２０７とリヤパネル２０８とに分割されており、このフロントパネル２０７には、カラー液晶ディスプレイ２０６を露出させる開口部２０９が形成されている。
【０１０３】
ハウジング２０５は、第１および第２の脚部２１０ａ，２１０ｂを備えている。これら第１および第２の脚部２１０ａ，２１０ｂは、フロントパネル２０７に連なるフロント部分２１１と、リヤパネル２０９に連なるリヤ部分２１２とを互いに突き合わせて構成されている。このため、第１および第２の脚部２１０ａ，２１０ｂは、中空状をなしており、図１４に示すように、左側の第１の脚部２１０ａの内部は、ハウジング２０５の内部空間に連なるケーブル通路２１３をなしている。
【０１０４】
第１および第２の脚部２１０ａ，２１０ｂは、筐体４のディスプレイ支持部１００ａ，１００ｂに夫々ヒンジ装置２１５を介して連結されている。この連結構造について、第１の脚部２１０ａを代表して説明する。
【０１０５】
図１３に示すように、第１の脚部２１０ａは、ディスプレイ支持部１００ａの側面１０２，１０３と向い合う左右の脚側面２１６ａ，２１６ｂを有している。左側の脚側面２１６ａには、連通孔２１７が開口されている。この連通孔２１７は、上記側面１０２の開口部１１０ａに連なっている。右側の脚側面２１６ｂには、ケーブル通路２１３に連なる挿通孔２１８が開口されている。この挿通孔２１８は、上記側面１０３の開口部１１０ｂに連なっている。
【０１０６】
また、上記ヒンジ装置２１５は、ヒンジ軸２２０と、このヒンジ軸２２０の一端に固定された第１のブラケット２２１と、上記ヒンジ軸２２０の他端に軸回り方向に回動可能に連結された第２のブラケット２２２とを備えている。
【０１０７】
ヒンジ軸２２０は、上記開口部１１０ａおよび連通孔２１７を貫通して配置されている。ヒンジ軸２２０の一端は、第１の脚部２１０ａの内側に導入されており、このヒンジ軸２２０の一端の第１のブラケット２２１が第１の脚部２１０ａのリヤ部分２１２の内面にねじ止めされている。また、ヒンジ軸２２０の他端は、上記凸部９３のヒンジ収容部１１４ａに導入されており、このヒンジ軸２２０の他端の第２のブラケット２２２は、ロアハウジング７にねじ止めされている。
【０１０８】
そのため、ヒンジ軸２２０は、上記ディスプレイユニット３の回動支点となっており、このディスプレイユニット３は、パームレスト９１やキーボード１１７を上方から覆う閉じ位置と、カラー液晶ディスプレイ２０６をキーボード１１７の後方で起立させる開き位置とに亘って回動可能に筐体４に支持されている。
【０１０９】
上記第１および第２の脚部２１０ａ，２１０ｂは、ディスプレイユニット３を開き位置に回動させた時に、上記ヒンジ収容部１１４ａ，１１４ｂの前面９５に略面一に連続する脚前面を有している。脚前面は、電源収容部１１３の前面９５に対し上記平坦部１１５ａ，１１５ｂの分だけ後方にずれている。そして、第１の脚部２１０ａの脚前面の直前にアイコン１７３が位置されている。
【０１１０】
図１３や図１４に示すように、第１の脚部２１０ａのケーブル通路２１３には、カラー液晶ディスプレイ２０６に連なるケーブル２２６が導かれている。ケーブル２２６は、多数の線材を一束に纏めたもので、柔軟性を有している。このケーブル２２６は、第１のブラケット２２１とリヤ部分２１２の内面との間で保持されており、ケーブル通路２１３内での挿通位置が定められている。そして、ケーブル２２６は、上記開口部１１０ｂおよび挿通孔２１８を通じて凸部１３の電源収容部１１３に導かれており、このケーブル２２６がコンピュータ１の外部から隠蔽されている。
【０１１１】
この場合、図１３に示すように、ディスプレイ支持部１００ａの右側の側面１０３と、電源収容部１１３に収容されたＡＣ電源ユニット１５０との間には、ケーブル導入通路２２７が形成されている。ケーブル導入通路２２７は、上記ホルダ１５５の真上においてロアハウジング７の内部に向けて開放されており、このケーブル導入通路２２７にケーブル２２６が導入されている。
【０１１２】
ケーブル２２６は、ケーブル導入通路２２７内において下向きに折り曲げられており、このケーブル２２６の折り曲げ先端は、回路基板１０上において前方に向けて曲げられている。このケーブル２２６の回路基板１０上に位置される部分には、円筒状をなす硬質のコア２２８が同軸状に装着されている。
【０１１３】
ケーブル２２６の先端には、図１４に示すような第１のスタッキングコネクタ２２９が取り付けられている。この第１のスタッキングコネクタ２２９は、回路基板１０の上面の第２のスタッキングコネクタ２３０に接続されている。この接続により、ディスプレイユニット３とベースユニット２とが電気的に接続されている。
【０１１４】
図１８に示すように、上記ケーブル２２６のコア２２８は、上記ホルダ１５５の支持壁１５８とレンズ支持部１８３との間に位置されている。これら支持壁１５８とレンズ支持部１８３との間には、コア支持部２３２が一体に形成されている。コア支持部２３２は、図２２に示すように、上方に向けて開放された凹部にて構成され、このコア支持部２３２は、回路基板１０上において前後方向に延びている。そして、このコア支持部２３２の内側にケーブル２２６のコア２２８が嵌合されている。このため、コア２２８は、ケーブル２２６と回路基板１０との接続部の近傍において、上記ホルダ１５５を介して回路基板１０上に保持されている。
【０１１５】
したがって、ホルダ１５５は、ＡＣ電源ユニット１５０ばかりでなく、電源コネクタ１６４、レンズ集合体１８０、スイッチ操作子１８８およびケーブル２２６を保持する機能を有している。
【０１１６】
また、この第１の実施形態のコンピュータ１においては、アイコン１７３がハウジング本体９０の上面に配置されているので、ディスプレイユニット３を閉じ位置に回動させると、アイコン１７３もディスプレイユニット３によって覆い隠されてしまう。そのため、アイコン１７３に電源に関する表示機能を持たせるようにすると、ディスプレイユニット３が閉じている状態では、電源に関する表示を見ることができなくなる。
【０１１７】
そこで、このコンピュータ１は、図１に示すように、ロアハウジング７の前面５ｃの中央部に、電源に関する表示をなすインディケータ２４０を備えている。インディケータ２４０は、二つの発光部２４１ａ，２４１ｂを有している。これら発光部２４１ａ，２４１は、左右に並べて配置されている。
【０１１８】
一方の発光部２４１ａは、コンピュータ１が商用交流電源に接続されているか否かを表示するためのもので、上記電源スイッチ８１がＯＦＦの時に商用交流電源を接続すると発光するようになっている。
【０１１９】
他方の発光部２４１ｂは、上記バッテリパック４６の充電状況を識別するためのもので、上記電源スイッチ８１をＯＦＦした状態で、コンピュータ１に商用交流電源を接続すると、バッテリパック４６の充電中は緑色に発光し、充電が完了するとオレンジ色に発光するようになっている。そして、バッテリパック４６への充電は、電源スイッチ８１がＯＦＦの時に行なわれるため、この電源スイッチ８１をＯＮすると、バッテリパック４６への充電が停止され、発光部２４１ｂが消灯するようになっている。
【０１２０】
このような発光部２４１ａ，２４１ｂは、図２４に示すように、夫々ロアハウジング７の前面５ｃに露出されるレンズ２４３を有している。レンズ２４３は、透明な合成樹脂材料にて構成され、上記回路基板１０の前縁部よりも前方に位置されている。
【０１２１】
回路基板１０の前端下面には、インディケータ２４０の光源となる一対の発光ダイオード２４４が配置されている。発光ダイオード２４４は、ロアハウジング７の前面５ｃではなくて底面５ａと向い合っており、この発光ダイオード２４４は、光を底面５ａに向けて照射するようになっている。
【０１２２】
そのため、図２３に示すように、レンズ２４３は、ロアハウジング７の前面５ｃから底面５ａに向って延びる導光部２４５を一体に備えている。導光部２４５は、互いに対向し合う前面２４５ａと後面２４５ｂとを有している。これら前面２４５ａおよび後面２４５ｂは、下方に進むに従い後方に向けて傾斜された平坦な傾斜面をなしている。
【０１２３】
各導光部２４５の下端部には、発光ダイオード２４４の光を受ける受光部２４６が一体に形成されている。受光部２４６は、ロアハウジング７の底面５ａと発光ダイオード２４４との間に入り込んでいる。この受光部２４６は、互いに対向し合う上面２４６ａと下面２４６ｂとを有している。上面２４６ａは、回路基板１０の下面と略平行をなしており、発光ダイオード２４４と向かい合っている。また、下面２４６ｂは、受光部２４６の後方に進むに従い底面５ｃから遠ざかる方向に傾斜されている。
【０１２４】
このため、図２４の（Ｂ）に示すように、発光ダイオード２４４から下向きに発せられた光は、受光部２４６の上面２４６ａに入射された後、傾斜された下面２４６ｂによって前方斜め上向きに屈折するように反射され、導光部２４５に導かれる。この導光部２４５の前面２４５ａおよび後面２４５ｂは、下方に進むに従い後方に傾斜されているので、受光部２４６からの光は、前面２４５ａ，２４５ｂの傾斜に伴って上向きに屈折するように反射を繰り返しながらレンズ２４３に導かれ、ロアハウジング７の前方に照射される。
【０１２５】
なお、レンズ２４３の受光部２４６は、連結部２４８を介して互いに連結されている。この連結部２４８の下面には、底面５ａに重ねられる舌片２４９が一体に形成されており、この舌片２４９が底面５ａに突設された凸部２５０に止められている。
【０１２６】
このようなインディケータ２４０によると、回路基板１０の下面に発光ダイオード２４４が取り付けられているにも拘らず、この発光ダイオード２４４から下向きに照射された光を、受光部２４６および導光部２４５を介してロアハウジング７の前面５ｃに導くことができる。そのため、インディケータ２４０の発光部２４１ａ，２４１ｂと発光ダイオード２４４とを互いに対向させて配置する必要はなく、インディケータ２４０や発光ダイオード２４４の設置位置の自由度が増大する。
【０１２７】
なお、本発明は上記第１の実施形態に特定されるものではなく、図２５ないし図４４に本発明の第２の実施形態を示す。
この第２の実施形態に示されたコンピュータ１は、主にバッテリパック４６回りの構成と、スピーカ１４２の取り付けに関する事項が第１の実施形態と相違しており、それ以外のコンピュータ１の基本的な構成は、第１の実施形態と同様である。そのため、この第２の実施形態において、第１の実施形態のコンピュータ１と同一の構成部分には、同一の参照符号を付してその説明を省略する。
【０１２８】
図２５に示すように、第２の実施形態のコンピュータ１は、ＣＤ−ＲＯＭ装置１６に代えてフロッピーディスク駆動装置３００を装備している。このフロッピーディスク駆動装置３００は、フロッピーディスクの装填口３０１を有し、この装填口３０１は、ロアハウジング７の右側の側面５ｆに開口されている。
【０１２９】
このコンピュータ１に用いられるバッテリパック４６は、図２８に示すように、合成樹脂製のバッテリケース３０３を備えている。バッテリケース３０３は、コンピュータ１の幅方向に延びる長軸Ｘ１と、コンピュータ１の奥行き方向に延びる短軸Ｘ２とを有する長方形の箱状をなしている。
【０１３０】
バッテリケース３０３は、上向きに開放されたケース本体３０３ａと、このケース本体３０３ａの開放端を塞ぐカバープレート３０３ｂとで構成されている。バッテリケース３０３の内部には、例えば１０本の二ッケル水素二次電池３０４が収容されているとともに、これら隣り合う二次電池３０４の間の隙間を利用してサーミスタ３０５、ブレーカ３０６および温度ヒューズ３０７が配置されている。
【０１３１】
バッテリケース３０３の長軸Ｘｌの方向に沿う一端部には、端子ホルダ３０９が配置されている。端子ホルダ３０９には、第１ないし第５の端子板３１０ａ〜３１０ｅが支持されている。端子板３１０ａ〜３１０ｅは、図２７に示すように、バッテリケース３０３の一端面３０３ｃに略面一に露出された状態において、このバッテリケース３０３の短軸Ｘ２の方向に一列に並んで配置されている。第１および第５の端子板３１０ａ，３１０ｅは、上記二次電池３０４に接続されてバッテリパック４６の正負の出力端子となっている。第２および第４の端子板３１０ｂ，３１０ｄは、上記サーミスタ３０５に接続されている。また、第３の端子板３１０ｃは、予備端子又は上記二次電池３０４の種類を判別する際の端子として用いられる。
【０１３２】
図２７に示すように、バッテリケース３０３の一端面３０３ｃには、複数のリブ状の仕切り壁３１１が形成されている。これら仕切り壁３１１は、バッテリケース３０３の厚み方向に延びるとともに、バッテリケース３０３の短軸Ｘ２の方向に間隔を存して配置されている。そして、仕切り壁３１１の一部は、第１ないし第５の端子板３１０ａ〜３１０ｅの間に介在され、これら仕切り壁３１１の先端は、第１ないし第５の端子板３１０ａ〜３１０ｅよりも突出されている。
【０１３３】
そのため、バッテリケース３０３の一端面３０３ｃに例えばクリップのような導電性の異物が接した場合でも、この異物が第１ないし第５の端子板３１０ａ〜３１０ｅに接触せずに済み、これら端子板３１０ａ〜３１０ｅの間でのショートを防止することができる。
【０１３４】
また、図２６や図２８に示すように、バッテリケース３０３の上面となるカバープレート３０３ｂには、一対の第１の嵌合凹部３１２と、一対の第２の嵌合凹部３１３とが形成されている。第１の嵌合凹部３１２および第２の嵌合凹部３１３は、夫々バッテリケース３０３の短軸Ｘ２の方向に並んでおり、これら第１の嵌合凹部３１２と第２の嵌合凹部３１３とは、バッテリケース３０３の長軸Ｘｌの方向に互いに離間して配置されている。
【０１３５】
図２８に示すように、バッテリケース３０３の底面となるケース本体３０３ａには、一対の第３の嵌合凹部３１４と、一対の第４の嵌合凹部３１５（一方のみを図示）とが形成されている。第３の嵌合凹部３１４および第４の嵌合凹部３１５は、夫々バッテリケース３０３の短軸Ｘ２の方向に並んでおり、これら第３の嵌合凹部３１４と第４の嵌合凹部３１５とは、バッテリケース３０３の長軸Ｘｌの方向に互いに離間して配置されている。
【０１３６】
そして、図２８の（Ａ）に示すように、第１の嵌合凹部３１２および第２の嵌合凹部３１３と、第３の嵌合凹部３１４および第４の嵌合凹部３１５とは、バッテリケース３０３の上面および底面において、このバッテリケース３０３の長軸Ｘ１の方向にずれている。それとともに、図２８の（Ｂ）に示すように、第１および第２の嵌合凹部３１２，３１３の配置間隔と、第３および第４の嵌合凹部３１４，３１５の配置間隔は、互いに異なっている。そのため、本実施形態の場合は、第３および第４の嵌合凹部３１４，３１５の配置間隔の方が、第１および第２の嵌合凹部３１２，３１３の配置間隔よりも大きく定められている。
【０１３７】
このような第１ないし第４の嵌合凹部３１２〜３１５の位置は、バッテリパック４６の種類や性能に応じて適宜定められている。このため、嵌合凹部３１２〜３１５は、バッテリパック４６の種類や性能に応じた一定の規則性を有しており、これら嵌合凹部３１２〜３１５の位置を見ることで、このバッテリパック４６がコンピュータ１に使用可能であるか否かを容易に判別し得るようになっている。
【０１３８】
さらに、バッテリケース３０３は、その端子板３１０ａ〜３１０ｅとは反対側の端部に円弧状に彎曲された彎曲部３１６を有している。彎曲部３１６は、バッテリケース３０３の他端面３０３ｄと底面とで規定される角部に位置されており、この彎曲部３１６の存在により、バッテリケース３０３の他端面３０３ｄの下端角部には、丸味を持った面取りが施されている。
【０１３９】
図３１や図３２に示すように、バッテリパック４６が接続されるバッテリコネクタ４４は、第１ないし第５の接続端子４４ａ〜４４ｅを有している。これら第１ないし第５の接続端子４４ａ〜４４ｅは、バッテリパック４６の第１ないし第５の端子板３１０ａ〜３１０ｅに対応するもので、常時バッテリコネクタ４４から突出する方向に弾性的に付勢されている。
【０１４０】
また、図３０や図３１に示すように、ロアハウジング７の右側の側面５ｆには、複数のバッテリ支持壁３２０が形成されている。バッテリ支持壁３２０は、バッテリコネクタ４４とは反対側において、バッテリ収容部４０の内側に向けて突出されているとともに、バッテリケース３０３の短軸Ｘ２の方向に一列に並べて配置されている。このバッテリ収容部４０に臨むバッテリ支持壁３２０の上端角部３２０ａは、円弧状に彎曲されている。
【０１４１】
図３２に示すように、バッテリホルダ４２は、バッテリコネクタ４４に連続するガイド面３２２と、このガイド面３２２の上方においてバッテリ収容部４０に向けて突出する一対の挿入ガイド部３２３ａ，３２３ｂとを有している。挿入ガイド部３２３ａ，３２３ｂは、バッテリケース３０３の短軸Ｘ２の方向に離間して配置されている。
【０１４２】
ガイド面３２２の上端部には、櫛歯状をなす複数の係合突起３２４が一体に形成されている。係合突起３２４は、バッテリケース３０３の短軸Ｘ２の方向に間隔を存して配置されている。これら係合突起３２４の一部は、バッテリコネクタ４４の第１ないし第５の接続端子４４ａ〜４４ｅの真上に位置されており、バッテリパック４６をバッテリ収容部４０に挿入した時に、バッテリパック４６の仕切り壁３１１の間に入り込むようになっている。
【０１４３】
また、バッテリ収容部４０の底面となるシールド板４１には、一対の凸部３２６が形成されている。凸部３２６は、バッテリパック４６の第３の嵌合凹部３１４に対応するもので、バッテリパック４６をバッテリ収容部４０に装着した時に、第３の嵌合凹部３１４に入り込むようになっている。
【０１４４】
バッテリパック４６をバッテリ収容部４０に装着するには、まず、第１ないし第５の端子板３１０ａ〜３１０ｅを有するバッテリケース３０３の一端面３０３ｃをバッテリコネクタ４４の方向に向けるとともに、このバッテリケース３０３の彎曲部３１６を下向きにした姿勢でバッテリパック４６を保持する。そして、このバッテリパック４６を、第１ないし第５の端子板３１０ａ〜３１０ｅを先頭にした斜めの姿勢でべースユニット２の上方からバッテリ収容部４０に挿入し、図２９に示すように、バッテリパック４６の一端部をシールド板４１と挿入ガイド部３２３ａ，３２３ｂとの間に介在させる。
【０１４５】
このバッテリパック４６の挿入に伴い、バッテリケース３０３の仕切り壁３１１がバッテリホルダ４２の係合突起３２４の間に入り込むとともに、第１ないし第５の端子板３１０ａ〜３１０ｅがバッテリコネクタ４４の第１ないし第５の接続端子４４ａ〜４４ｅに夫々接触する。
【０１４６】
次に、この端子板３１０ａ〜３１０ｅと接続端子４４ａ〜４４ｅとの接触部を支点としてバッテリパック４６を下向きに回動させ、このバッテリパック４６をバッテリ収容部４０に落とし込む。この際、バッテリケース３０３の端子板３１０ａ〜３１０ｅとは反対側の下端角部には、丸味を持った面取りが施されているので、バッテリパック４６を下向きに回動させる際に、バッテリケース３０３とバッテリ支持壁３２０との干渉が回避される。
【０１４７】
すなわち、図３０に示すように、バッテリパック４６を上下逆向きにしてバッテリ収容部４０に挿入した場合、このバッテリパック４６の端子板３１０ａ〜３１０ｅとは反対側の下端角部は、面と面とが直交するように角張っているので、この下端角部がバッテリ支持壁３２０の上端角部３２０ａに引っ掛かり、それ以上、バッテリパック４６をバッテリ収容部４０に落とし込むことができなくなる。
【０１４８】
そのため、オペレータは、バッテリパック４６が上下逆向きであることを認識することができ、このバッテリパック４６の誤った装着を未然に防止することができる。
【０１４９】
図２８に示すように、バッテリパック４６がバッテリ収容部４０に落とし込まれると、バッテリ収容部４０の底部の凸部３２６がバッテリパック４６の第３の嵌合凹部３１４に入り込み、このバッテリパック４６がコンピュータ１に適したものであることが判別される。
【０１５０】
この際、第３の嵌合凹部３１４の位置が異なる他のバッテリパックをバッテリ収容部４０に差し込んだり、あるいは図３０に示すように、バッテリパック４６を上下逆向きにしてバッテリ収容部４０に挿入すると、バッテリ収容部４０の凸部３２６がバッテリパック４６の下面に突き当たる。すると、バッテリパック４６がバッテリ収容部４０において傾いたままとなり、このバッテリパック４６をバッテリ収容部４０に確実に装着することができなくなる。よって、凸部３２６の存在によっても、バッテリパック４６の誤った選択や、誤った装着を防止することができる。
【０１５１】
バッテリパック４６がバッテリ収容部４０に正しく装着されると、このバッテリパック４６は、バッテリコネクタ４４の第１ないし第５の接続端子４４ａ〜４４ｅによってバッテリ支持壁３２０の方向に向けて押圧され、これら接続端子４４ａ〜４４ｅとバッテリ支持壁３２０との間で挟み込まれる。このことにより、バッテリパック４６は、バッテリコネクタ４４に電気的に接続された状態で、バッテリ収容部４０に保持される。
【０１５２】
そして、バッテリ収容部４０へのバッテリパック４６の装着が完了すると、図２６や図２８に示すように、第１ないし第５の接続端子４４ａ〜４４ｅと第１ないし第５の端子板３１０ａ〜３１０ｅとの接触部分の上方において、バッテリケース３０３の仕切り壁３１１とバッテリホルダ４２の係合突起３２４とが互いに噛み合うような位置関係で近接される。
【０１５３】
そのため、第１ないし第５の接続端子４４ａ〜４４ｅと第１ないし第５の端子板３１０ａ〜３１０ｅとの接触部分に、上方からクリップのような導電性の異物が侵入するのを阻止することができ、この異物の侵入に伴う短絡事故を未然に防止することができる。
【０１５４】
また、図３２に示すように、シールド板４１は、バッテリコネクタ４４に隣接する縁部４１ａを有している。この縁部４１ａには、バッテリコネクタ４４から遠ざかる方向に切り欠かれた逃げ部３２７が形成されている。この逃げ部３２７は、第１ないし第５の接続端子４４ａ〜４４ｅと第１ないし第５の端子板３１０ａ〜３１０ｅとの接触部分の下方に位置されている。
【０１５５】
そのため、バッテリパック４６をバッテリ収容部４０に挿入する際に、このバッテリパック４６の挿入先端部とシールド板４１との間に、例えばクリップのような導電性の異物が噛み込まれたとしても、この異物は逃げ部３２７に入り込む。よって、この異物を介して第１ないし第５の端子板３１０ａ〜３１０ｂとシールド板４１とが短絡されるといった不具合を解消することができる。
【０１５６】
図３１に示すように、バッテリ収容部４０には、バッテリパック４６を収容部４０から取り外す際に用いるリボン３３１が配置されている。このリボン３３１は、合成樹脂製のシート材にて構成され、幅が２０ｍｍ程度の帯状をなしている。そして、このリボン３３１は、直線形状を維持し得るだけの強度を有している。
【０１５７】
リボン３３１は、シールド板４１に支持されている。このリボン３３１の支持構造について、図３４ないし図３６を参照して説明する。
【０１５８】
シールド板４１は、リボン３３１を固定するための支持部３３２を備えている。支持部３３２は、リボン３３１が通される一対の挿通孔３３２ａ，３３２ｂを有している。挿通孔３３２ａ，３３２ｂは、バッテリケース３０３の短軸Ｘ２の方向に延びるスリット状をなしているとともに、バッテリケース３０３の長軸Ｘｌの方向に互いに離間して配置されている。そして、支持部３３２は、バッテリコネクタ４４よりもバッテリ支持壁３２０の方向に大きく偏った位置に配置されている。
【０１５９】
リボン３３１の一端には、係止片３３４が連続して形成されている。係止片３３４は、リボン３３１の一端から略直角に折れ曲っており、このリボン３３１よりも幅広い長方形状をなしている。係止片３３４は、シールド板４１の上面に重ねられるもので、この係止片３３４にリボン３３１が押通可能なスリット状の連通孔３３５が開口されている。このような形状のリボン３３１は、挿通孔３３２ａ，３３２ｂおよび連通孔３３５に連続して潜らせることで、シールド板４１の支持部３３２に固定される。
【０１６０】
すなわち、リボン３３１を支持部３３２に取り付けるには、まず、図３４に示すように、リボン３３１の係止片３３４とは反対側の端部３３１ａを、シールド板４１の上方から一方の挿通孔３３２ａに差し通す。次に、図３５に示すように、リボン３３１の端部３３１ａをシールド板４１の下方で上向きに反転させ、このシールド板４１の下方から他方の挿通孔３３２ｂに差し通す。
【０１６１】
この状態で、リボン３３１の端部３３１ａを係止片３３４の連通孔３３５に下方から差し通し、この端部３３１ａをシールド板４１の上方に向けて引っ張る。このことにより、図３６に示すように、係止片３３４がシールド板４１の上面に重なり合うとともに、リボン３３１が挿通孔３３２ａ，３３２ｂに跨がってループ状に引き回れ、リボン３３１がシールド板４１の支持部３３２に抜け止め固定される。
【０１６２】
このようにリボン３３１をシールド板４１に固定した状態では、図３１に示すように、リボン３３１は、それ自体の強度によりバッテリ収容部４０のバッテリ支持壁３２０側の端部から上向きに突出された状態を維持している。そして、バッテリパック４６をバッテリ収容部４０に装着すると、リボン３３１は、その係止片３３４に連なる部分がバッテリパック４６とバッテリ収容部４０の底面との間に挟み込まれ、このリボン３３１の残りの部分がバッテリパック４６の他端面３０３ｄとバッテリ支持壁３２０との間を通ってバッテリパック４６の上方に導出される。
【０１６３】
そのため、図３３に示すように、バッテリパック４６の上方に導出されたリボン３３１の端部３３１ａを指先Ｆで掴んで上向きに引っ張れば、このリボン３３１を介してバッテリパック４６の端部がバッテリ収容部４０から引き上げられ、このバッテリパック４６をバッテリ収容部４０から取り出すことができる。
【０１６４】
なお、本実施形態の場合、バッテリ収容部４０の底面となるシ一ルド板４１の上面は、図３１や図３２に示すように、例えば黒色の絶縁シート３３８によって覆われている。この絶縁シート３３８は、上記凸部３２６やリボン３３１を通す複数の開口部３３９を有している。このため、バッテリパック４６をバッテリ収容部４０から取り外した状態でも、シールド板４１を始めとするバッテリ収容部４０の底部が絶縁シート３３８によって覆い隠され、バッテリ収容部４０の外観が良好に維持されるようになっている。
【０１６５】
ところで、図２５および図３７に示すように、手置き台１２６上の操作ボタン１２８ａ，１２８ｂによって押圧されるスイッチ１４１ａ，１４１ｂは、フラットなフレキシブルプリント配線板３４３に支持されている。このプリント配線板３４３は、金属製の保護カバー３４４を介して手置き台１２６の裏面に保持されている。保護カバー３４４は、ねじ３４５を介して手置き台１２６の裏面に固定されている。
【０１６６】
図３７や図３８に示すように、保護カバー３４４は、キーボード１１７に隣接する端部にケーブル導出口３４６と係止片３４４ａとを有している。係止片３４４ａは、手置き台１２６を含むパームレスト９１を閉じ位置に回動させた時に、上記バッテリホルダ４２の上面のフック４２ａに取り外し可能に引っ掛かるようになっている。
【０１６７】
プリント配線板３４３は、フラットで、しかも柔軟なケーブル部３４７を一体に有している。ケーブル部３４７は、幅が５ｍｍ程度の帯状をなしており、このケーブル部３４７の片面に上記スイッチ１４１ａ，１４１ｂに接続された配線パターン（図示せず）が形成されている。ケーブル部３４７の先端部には、端子部３４７ａが形成されており、この端子部３４７ａに上記配線パターンが導かれている。
【０１６８】
図３７や図３８に示すように、ケーブル部３４７は、保護カバー３４４のケーブル挿通口３４６を通じてハードディスク駆動装置１５とバッテリ収容部４０との間に導かれている。このケーブル部３４７は、丁度バッテリホルダ４２に対応した位置でキーボード１１７側に向けて円弧状に彎曲された後、キーボード押え１２５と区画壁９４ｅとの間のケーブル通路３５０を貫通してキーボード１１７の下方に引き回されている。そして、このケーブル部３４７の端子部３４７ａは、丁度キーボード１１７の前端の下方において、回路基板１０上のコネクタ３５１に接続されている。
【０１６９】
プリント配線板３４３が支持されたパームレスト９１は、閉じ位置と開き位置とに亘って上下に回動されるために、このプリント配線板３４３のケーブル部３４７は、キーボード１１７と回路基板１０との間において、コネクタ３５１よりも一旦後方に導かれた後、前方に向けて略Ｕ字状に折り返されている。この折り返しにより、ケーブル部３４７の全長が充分に確保され、このケーブル部３４７がパームレスト９１の回動を妨げないようになっている。
【０１７０】
保護カバー３４４には、保護部材３５５が取り付けられている。保護部材３５５は、保護カバー３４４から導出されたケーブル部３４７を保護するためのもので、弾性変形が可能な合成樹脂製のシート材にて構成されている。保護部材３５５は、保護カバー３４４に張り付けられた支持片３５６と、この支持片３５６から延びるケーブルガイド３５７とを有し、このケーブルガイド３５７は、図２５に見られるように、ケーブル部３４７と略同じ幅を有する帯状をなしている。
【０１７１】
図３７に示すように、ケーブルガイド３５７は、パームレスト９１が閉じ位置に回動されている状態において、上記ケーブル通路３５０に向かうように斜め下向きに彎曲された彎曲部３５７ａを有している。この彎曲部３５７ａの先端は、ケーブル通路３５０を貫通してキーボード１１７の下方にまで延びている。そして、このケーブルガイド３５７は、弾性を有すると同時に上記形状を維持し得るだけの強度を有している。
【０１７２】
ケーブルガイド３５７は、保護カバー３４４から導出されたケーブル部３４７の下面に摺動可能に重ね合わされている。このため、柔軟なケーブル部３４７は、ケーブルガイド３５７の上面に沿うようにして、ケーブル通路３５０からキーボード１１７の下方に向けて強制的に押し込まれており、このケーブル部３４７の曲げ形状や挿通経路が規定されている。
【０１７３】
そして、図３８に示すように、パームレスト９１を閉じ位置から開き位置に回動させると、ケーブルガイド３５７がその弾性に抗してケーブル通路３５０の部分で前方斜め上向きに円弧状に彎曲されるようになっている。このため、ケーブルガイド３５７に重ね合わされているケーブル部３４７は、ケーブルガイド３５７をガイド面としてキーボード１１７の下方に向けて押圧されつつ、前方斜め上向きに彎曲され、このケーブル部３４７の曲げ形状や挿通経路がケーブルガイド３５７によって定められている。
【０１７４】
このようなケーブルガイド３５７の存在によって、パームレスト９１から筐体４の内部に向かうケーブル部３４７の曲げ形状や挿通経路が定まるので、例えばバッテリパック４６の交換等のためにパームレスト９１を開閉した場合でも、ケーブル部３４７は滑らかな形状を保ったまま、ケーブル通路３５０を経てキーボード１１７の下方に出し入れされる。
【０１７５】
したがって、パームレスト９１の開閉に伴って、柔軟なケーブル部３４７がケーブル通路３５０を貫通する部分で乱雑な形状に折り畳まれたり、無理な形状に屈曲されることはなく、このケーブル部３４７の配線パターンの断線や損傷を未然に防止することができる。
【０１７６】
なお、上記構成においては、ケーブルガイド３５７の先端を単にキーボード１１７の下方に差し込んだだけの自由端としたが、例えばこのケーブルガイド３５７の先端をねじを介してロアハウジング７に固定しても良い。この場合、ケーブルガイド３５７は、パームレスト９１の開閉動作を妨げないような長さに形成する必要があることは勿論である。
【０１７７】
一方、図３９に示すように、音声を出力するスピーカ１４２は、キーボード１１７の後端部の下方に配置されている。このスピーカ１４２は、図４０に示すように、振動板（図示せず）を支持するリング状のフレーム３６１と、このフレーム３６１に固定され、振動板の上面を覆うカバー３６２とを有し、全体として偏平な円盤状をなしている。そして、このスピーカ１４２は、アッパハウジング８のハウジング本体９０に支持されており、以下このスピーカ１４２の支持構造について説明する。
【０１７８】
図４０ないし図４３に示すように、キーボード装着部９２の底壁９４ｄには、スピーカ装着部３６５が形成されている。スピーカ装着部３６５は、底壁９４ｄの後端に進むに従い下向きに傾斜された支持壁３６６を有している。支持壁３６６には、円形のスピーカ装着孔３６７が開口されており、このスピーカ装着孔３６７は、キーボードパネル１１８の下面と向かい合っている。そして、支持壁３６６の後端一側部には、上向きに延びる後壁３６８が形成されている。
【０１７９】
図４４に示すように、支持壁３６６の下面は、平坦なスピーカ支持面３６６ａをなしている。このスピーカ支持面３６６ａの前半部には、ガイド壁３７０が形成されている。ガイド壁３７０は、スピーカ装着孔３６７の開口周縁に沿うような円弧状をなしている。
【０１８０】
また、キーボード装着部９２の底底９４ｄには、下向きに突出する係止爪３７１と、同じく下向きに突出するボス部３７２とが形成されている。これら係止爪３７１とボス部３７２とは、スピーカ装着孔３６７を挾んだ左右両側に位置されている。
【０１８１】
スピーカ１４２は、スピーカホルダ３７３に保持されている。スピーカホルダ３７３は、柔軟なゴム状弾性体にて構成されている。このスピーカホルダ３７３は、スピーカ１４２のフレーム３６１が嵌合されるリング状のホルダ本体３７４を有している。ホルダ本体３７４は、スピーカ１４２の底部を受ける底壁３７５と、このホルダ本体３７４の外周部から上向きに延びる起立壁３７６とを有している。
【０１８２】
図４４に示すように、スピーカ１４２は、スピーカホルダ３７３と共にキーボード装着部９２の下方からスピーカ装着部３６５に装着されている。そして、この装着状態では、図４０に示すように、ホルダ本体３７４の上面がスピーカ支持面３６６ａに接しているとともに、起立壁３７６がスピーカ装着部３６５の後壁３６８に連なっている。このため、スピーカ装着孔３６７は、スピーカホルダ３７３によって隙間なく閉じられている。
【０１８３】
スピーカ１４２およびスピーカホルダ３７３は、板金製のブラケット３８０を介してスピーカ装着部３６５に保持されている。ブラケット３８０は、スピーカホルダ３７３の底壁３７５に重なり合うフラットな板状をなす支持部３８１と、この支持部３８１の両端に形成された一対の係止片３８２ａ，３８２ｂとを有している。ブラケット３８０は、一方の係止片３８２ａを係止爪３７１に引っ掛けるとともに、他方の係止片３８２ｂをボス部３７２の下面にねじ３８３を介して連結することでスピーカ装着部３６５に固定されている。
【０１８４】
このことにより、スピーカ１４２がスピーカホルダ３７３と共にスピーカ装着部３６５に抜け止め保持され、このスピーカホルダ３７３のホルダ本体３７４がスピーカ１４２と支持面３６６ａとの間に介在されている。そのため、スピーカ１４２は、キーボード１１７の下方において、スピーカ支持面３６６ａに沿うように後下がりに傾斜された姿勢で配置されている。
【０１８５】
なお、スピーカ１４２のリード線３８４は、ホルダ本体３７４を貫通して外方に導出された後に、回路基板１０上のスピーカコネクタ（図示せず）に接続されている。
【０１８６】
図４０や図４２に示すように、キーボード装着部９２の後壁９４ｃには、放音用の孔３８６が開口されている。この孔３８６は、キーボード装着部９２の左右方向に延びる長方形状をなしており、上記スピーカ装着部３６５に連なっている。また、ハウジング本体９０は、キーボード装着部９２の後壁９４ｃよりも後方において下向きに延びる反射壁３８７を有している。反射壁３８７は、放音用の孔３８６と向かい合っており、この反射壁３８７の下端は、スピーカホルダ３７３の起立壁３７６に略面一に連続されている。
【０１８７】
また、キーボード装着部９２には、放音用の孔３８６に介在される化粧カバー３８８が取り付けられている。化粧カバー３８８は、多数の通孔３８９を有するメッシュ状をなしている。この化粧カバー３８８は、放音用の孔３８６と協働してキーボード装着部９２の後壁９４ｃの略中央部分に、スピーカ１４２からの音声を放出するための放音部３９０を構成している。この放音部３９０は、キーボード１１７の最後列のキー１１９の直後に位置され、ディスプレイユニット３を開き位置に回動させた時に、オペレータと向かい合うようになっている。
【０１８８】
このような構成のスピーカ装着部３６５によると、スピーカ１４２は、キーボード１１７の後端部の下方において、後下がりに傾斜された姿勢で配置されているので、このスピーカ１４２からの音声は、図４０に矢印で示すように、後方斜め上向きに放出された後、反射壁３８７によって前方斜め上向きに反射される。そして、この音声は、放音部３９０を通じてオペレータ側に導かれる。
【０１８９】
したがって、スピーカ１４２をキーボード１１７の下方に配置したにも拘らず、このスピーカ１４２からの音声がキーボード１１７によって遮られることはなく、この音声をオペレータ側に積極的に導くことができる。
【０１９０】
また、キーボード１１７の中央部の下方には、回路基板１０が位置するだけであり、上記バッテリパック４６を覆うパームレスト９１の下方に比べて広いスペースを得やすいので、このキーボード１１７の下方に音質の良い厚めのスピーカ１４２を無理なく収めることができる。
【０１９１】
しかも、上記構成によると、スピーカ１４２とスピーカ装着部３６５のスピーカ支持面３６６ａとの間には、ゴム製のスピーカホルダ３７３が介在されているので、スピーカ１４２の振動がハウジング本体９０に伝わり難くなり、このハウジング本体９０の共振を防止できる。
【０１９２】
その上、スピーカホルダ３７３の存在により、スピーカ１４２とスピーカ装着孔３６７との間に隙間が生じることもなく、スピーカ１４２の上方に向けて放出された音声と、スピーカ１４２の下方に向けて放出された音声とが干渉し合うのを防止できる。したがって、ハウジング本体９０の共振を防止できることと合わせて、音質を改善できるとともに、音量も増大するといった利点がある。
【０１９３】
【発明の効果】
以上詳述した本発明によれば、バッテリ収容部に対するバッテリパックの姿勢が逆向きであることを容易に認識することができ、バッテリ収容部へのバッテリパックの誤った装着を未然に防止することができる。
【図面の簡単な説明】
【図１】本発明の第１の実施形態におけるポータブルコンピュータの斜視図。
【図２】パームレストを開き、バッテリパックを露出させた状態を示すコンピュータの斜視図。
【図３】ディスプレイユニットを閉じた状態のコンピュータの斜視図。
【図４】ロアハウジングにハードディスク駆動装置やＣＤ−ＲＯＭ駆動装置およびＡＣ電源ユニットを組み込んだ状態を示す斜視図。
【図５】ＡＣ電源ユニットとロアハウジングとの位置関係を示す斜視図。
【図６】ＣＤ−ＲＯＭ駆動装置の取り付け部分の断面図。
【図７】ＣＤ−ＲＯＭ駆動装置を底側から見た斜視図。
【図８】パームレストを開いてバッテリパックをバッテリ収容部から取り出した状態を示すコンピュータの斜視図。
【図９】カードカバーを開いた状態のコンピュータの斜視図。
【図１０】べ一スユニットの後半部分の断面図。
【図１１】電源スイッチおよび第２のパラレルポートの取り付け部分を示すべースユニットの断面図。
【図１２】べ一スユニットの後半部分の断面図。
【図１３】ディスプレイユニットとベースユニットとの連結部分の断面図。
【図１４】ディスプレイユニットとベースユニットとの連結部分を拡大して示すコンピュータの斜視図。
【図１５】パームレストとキーボード装着部との連結部分を分解して示す斜視図。
【図１６】（Ａ）は、パームレストをキーボード装着部に向けて押し込んだ状態を一部断面で示す平面図。
（Ｂ）は、パームレストをキーボード装着部から引き出した状態を一部断面で示す平面図。
【図１７】（Ａ）は、パームレストをキーボード装着部に向けて押し込んだ時に、その軸部と凹部との位置関係を示す断面図。
（Ｂ）は、パームレストをキーボード装着部から引き出した時に、その軸部と凹部との位置関係を示す断面図。
（Ｃ）は、パームレストを上向きに回動させた時に、その軸部と凹部との位置関係を示す断面図。
【図１８】ＡＣ電源ユニットやホルダの取り付け部回り示す斜視図。
【図１９】ＡＣ電源ユニットやホルダの取り付け部回り示す斜視図。
【図２０】ＡＣ電源ユニットとホルダの係止部との関係を分解して示す斜視図。
【図２１】電源ユニットとコネクタパネルとの関係を分解して示す斜視図。
【図２２】ホルダとレンズ集合体およびスイッチ操作子とを分解して示す斜視図。
【図２３】インディケータの斜視図
【図２４】（Ａ）は、インディケータの取り付け部分を示すべ一スユニットの断面図。
（Ｂ）は、発光ダイオードからレンズまでの光の経路を示す断面図。
【図２５】本発明の第２の実施形態を示すコンピュータにおいて、パームレストを開き位置に回動させた状態を示す斜視図。
【図２６】バッテリパックをバッテリ収容部に装着した状態を示す平面図。
【図２７】バッテリパックを端子板側から見た斜視図。
【図２８】（Ａ）は、バッテリパックをバッテリ収容部に装着した状態を示す断面図。
（Ｂ）は、バッテリケースの断面図。
【図２９】バッテリパックをバッテリ収容部に差し込んだ状態を示す断面図。
【図３０】バッテリパックを誤った向きで筐体のバッテリ収容部に差し込んだ状態を示す断面図。
【図３１】バッテリ収容部の斜視図。
【図３２】バッテリ収容部およびバッテリコネクタ回りの斜視図。
【図３３】バッテリパックをリボンを介して引き上げた状態を示す斜視図。
【図３４】リボンをシールド板の挿通孔に差し込む状態を示す斜視図。
【図３５】リボンをシールド板の挿通孔に差し通して引っ張った状態を示す斜視図。
【図３６】リボンをシールド板に固定した状態を示す斜視図。
【図３７】パームレストを閉じ位置に回動させた状態を示すコンピュータの断面図。
【図３８】（Ａ）は、パームレストを開き位置に回動させた状態を示すコンピュータの断面図。
（Ｂ）は、図３８の（Ａ）のＡ部を拡大して示す断面図。
【図３９】キーボードをキーボード装着部から取り外した状態を示すコンピュータの斜視図。
【図４０】スピーカの取り付け部を示すコンピュータの断面図。
【図４１】スピーカの取り付け部を示す断面図。
【図４２】スピーカの取り付け部の斜視図。
【図４３】スピーカの取り付け部をハウジング本体の内側から見た斜視図。
【図４４】スピーカの取り付け部を分解して示す斜視図。
【符号の説明】
４…筐体、４０…バッテリ収容部、４４…バッテリコネクタ、４４ａ〜４４ｅ…接続端子、４６…バッテリパック、３０３ｄ…他端面、３１０ａ〜３１０ｅ…端子板、３１６…彎曲部、３２０…支持壁、３２０ａ…先端角部。
【図１】
0003699892.tif 000002
【図２】
0003699892.tif 000003
【図３】
0003699892.tif 000004
【図４】
0003699892.tif 000005
【図５】
0003699892.tif 000006
【図６】
0003699892.tif 000007
【図７】
0003699892.tif 000008
【図８】
0003699892.tif 000009
【図９】
0003699892.tif 000010
【図１０】
0003699892.tif 000011
【図１１】
0003699892.tif 000012
【図１２】
0003699892.tif 000013
【図１３】
0003699892.tif 000014
【図１４】
0003699892.tif 000015
【図１５】
0003699892.tif 000016
【図１６】
0003699892.tif 000017
【図１７】
0003699892.tif 000018
【図１８】
0003699892.tif 000019
【図１９】
0003699892.tif 000020
【図２０】
0003699892.tif 000021
【図２１】
0003699892.tif 000022
【図２２】
0003699892.tif 000023
【図２３】
0003699892.tif 000024
【図２４】
0003699892.tif 000025
【図２５】
0003699892.tif 000026
【図２６】
0003699892.tif 000027
【図２７】
0003699892.tif 000028
【図２８】
0003699892.tif 000029
【図２９】
0003699892.tif 000030
【図３０】
0003699892.tif 000031
【図３１】
0003699892.tif 000032
【図３２】
0003699892.tif 000033
【図３３】
0003699892.tif 000034
【図３４】
0003699892.tif 000035
【図３５】
0003699892.tif 000036
【図３６】
0003699892.tif 000037
【図３７】
0003699892.tif 000038
【図３８】
0003699892.tif 000039
【図３９】
0003699892.tif 000040
【図４０】
0003699892.tif 000041
【図４１】
0003699892.tif 000042
【図４２】
0003699892.tif 000043
【図４３】
0003699892.tif 000044
【図４４】
0003699892.tif 000045